(57)【要約】      （修正有）【課題】複数のフード内に加圧蒸気を１つの加圧蒸気発生装置から送ることが可能となり、コストの低減が図れる加圧蒸気を用いた頭髪・頭皮処理装置を提供する。【解決手段】被施術者の頭部に被せるフード６と、ヒーター４ｂへの通電により加圧蒸気を発生する加圧蒸気生成ボイラー４と、前記フードと前記加圧蒸気生成ボイラーとを接続する蒸気管５と、該蒸気管と前記加圧蒸気生成ボイラーとの間に接続され加圧蒸気生成ボイラーよりの加圧蒸気を封入するための制御弁６ｂと、前記フード内の温度を検出する温度センサ６ａと、該温度センサよりの出力を監視しフード内の温度が一定となる前記制御弁の開閉量制御する制御回路８とから構成した加圧蒸気を用いた毛髪・頭皮処理装置である。【選択図】図１
2006122381.tif 000002
【特許請求の範囲】
【請求項１】
被施術者の頭部に被せるフードと、ヒーターへの通電により加圧蒸気を発生する加圧蒸気生成ボイラーと、前記フードと前記加圧蒸気生成ボイラーとを接続する蒸気管と、該蒸気管と前記加圧蒸気生成ボイラーとの間に接続され加圧蒸気生成ボイラーよりの加圧蒸気を封入するための制御弁と、前記フード内の温度を検出する温度センサと、該温度センサよりの出力を監視しフード内の温度が一定となる前記制御弁の開閉を制御する制御回路とから構成したことを特徴とする加圧蒸気を用いた頭髪・頭皮処理装置。
【請求項２】
前記フード内の前記蒸気管が接続された部分に前記蒸気管よりの加圧蒸気を拡散する拡散ノズルを取付けたことを特徴とする請求項１記載の加圧蒸気を用いた頭髪・頭皮処理装置。
【請求項３】
前記加圧蒸気生成ボイラーにはボイラー内の圧力を検出する圧力センサあるいはボイラー内の温度を検出する温度センサを具備し、該圧力センサあるいは温度センサよりの出力が予め設定した値となるように前記制御回路が前記ボイラー内のヒーターの通電を制御することを特徴とする請求項１記載の加圧蒸気を用いた頭髪・頭皮処理装置。
【請求項４】
前記加圧蒸気生成ボイラーから少なくとも２つの蒸気管を分岐し、各蒸気管のそれぞれに電磁弁を接続することで、１つの加圧蒸気生成ボイラーにより前記蒸気管の先端に接続されたフード内に加圧蒸気を供給できるようにしたことを特徴とする請求項１記載の加圧蒸気を用いた頭髪・頭皮処理装置。
【請求項５】
前記加圧蒸気生成ボイラー内の水位を検出する水位センサを具備し、該水位センサよりの出力が予め設定した値より小さくなると前記制御回路が前記ボイラー内に水や温水を補給するためのモータポンプを駆動し、ボイラー内の水位が一定となるように制御することを特徴とする請求項１記載の加圧蒸気を用いた頭髪・頭皮処理装置。
【請求項６】
前記蒸気管で蒸気が凝縮して発生したドレンを排出する蒸気は通過させないが水を通過させるスチームトラップを取付けたことを特徴とする請求項１記載の加圧蒸気を用いた頭髪・頭皮処理装置。
【発明の詳細な説明】
【技術分野】
【０００１】
本発明は、加圧蒸気発生装置で発生した加圧蒸気を複数のフード内に供給することで、一度に複数の被施術者の頭髪処理（例えば、パーマ・染毛・トリートメント）や頭皮ケア処理等が行えるようにした加圧蒸気を用いた頭髪・頭皮処理装置に関する。
【背景技術】
【０００２】
従来からパーマ・染毛・トリートメント等の処理を行う場合には、頭髪に薬剤を塗布して化学反応処理を行う際、該処理効果を高める装置として、例えば、実公平２−２６４０２号公報に開示されているように、薬剤を塗布した頭髪をフードで覆った空間に、蒸気発生装置によって温水から生成した温ミストあるいは水を沸騰させて生成した湿り蒸気（常圧スチーム）を１つのフードに送り込んで加温・加湿していた。
【特許文献１】実公平２−２６４０２号公報
【発明の開示】
【発明が解決しようとする課題】
【０００３】
ところで、前記した従来の毛髪処理促進装置にあっては、１つのフードに対して１つの蒸気発生装置となっているので、毛髪処理促進装置としてのコストが高くなるといった問題があり、また、常圧スチームを使用しているため、蒸気発生装置に複数のフードを分割して接続しても、各フードに対して十分な蒸気を供給することができないといった問題もあった。
【０００４】
本発明は前記した問題点を解決せんとするもので、その目的とするところは、密閉された加圧釜で加熱して発生した加圧蒸気を制御弁を開いてフードに送るようにしたので、複数のフード内に加圧蒸気を１つの加圧蒸気発生装置から送ることが可能となり、コストの低減が図れる加圧蒸気を用いた頭髪・頭皮処理装置を提供せんとするにある。
【課題を解決するための手段】
【０００５】
本発明の加圧蒸気を用いた頭髪・頭皮処理装置は前記した目的を達成せんとするもので、請求項１の手段は、被施術者の頭部に被せるフードと、ヒーターへの通電により加圧蒸気を発生する加圧蒸気生成ボイラーと、前記フードと前記加圧蒸気生成ボイラーとを接続する蒸気管と、該蒸気管と前記加圧蒸気生成ボイラーとの間に接続され加圧蒸気生成ボイラーよりの加圧蒸気を封入するための制御弁と、前記フード内の温度を検出する温度センサと、該温度センサよりの出力を監視しフード内の温度が一定となる前記制御弁の開閉を制御する制御回路とから構成したものである。
【０００６】
請求項２の手段は、前記した請求項１において、前記フード内の前記蒸気管が接続された部分に前記蒸気管よりの加圧蒸気を拡散する拡散ノズルを取付けたことを特徴とする。
【０００７】
請求項３の手段は、前記した請求項１において、前記加圧蒸気生成ボイラーにはボイラー内の圧力を検出する圧力センサあるいはボイラー内の温度を検出する温度センサを具備し、該圧力センサあるいは温度センサよりの出力が予め設定した値となるように前記制御回路が前記ボイラー内のヒーターの通電を制御することを特徴とする。
【０００８】
請求項４の手段は、前記した請求項１において、前記加圧蒸気生成ボイラーから少なくとも２つの蒸気管を分岐し、各蒸気管のそれぞれに電磁弁を接続することで、１つの加圧蒸気生成ボイラーにより前記蒸気管の先端に接続されたフード内に加圧蒸気を供給できるようにしたことを特徴とする。
【０００９】
請求項５の手段は、前記した請求項１において、前記加圧蒸気生成ボイラー内の水位を検出する水位センサを具備し、該水位センサよりの出力が予め設定した値より小さくなると前記制御回路が前記ボイラー内に水や温水を補給するためのモータポンプを駆動し、ボイラー内の水位が一定となるように制御することを特徴とする。
【００１０】
請求項６の手段は、前記した請求項１において、前記蒸気管で蒸気が凝縮して発生したドレンを排出する蒸気は通過させないが水を通過させるスチームトラップを取付けたことを特徴とする。
【発明の効果】
【００１１】
本発明は前記したように、加圧蒸気を加圧蒸気生成ボイラーにより生成し、この加圧蒸気をフード内に供給して被施術者の頭髪または頭皮を処理するようにしたので、従来の温ミストよりも少ない水量の蒸気で前記処理が行えることから、頭髪処理剤等の液垂れを防止できると共に、熱量が大きいことにより処理時間の短縮が図れるものである。
【００１２】
また、フードの内面に蒸気管からの加圧蒸気を拡散するための拡散ノズルを取付けたことにより、高温の蒸気が被施術者の頭部に直接当たることがないので、安全な状態で施術を行うことができる。
【００１３】
さらに、フード内の温度を検出して一定の温度となるように加圧蒸気生成ボイラーから供給される加圧蒸気量を自動的を制御することから、処理を最適条件で行うことが可能であり、また、加圧蒸気生成ボイラー内の圧力を圧力センサや温度センサで監視し一定の圧力となるように制御することから、常に一定の加圧蒸気が得られ最適な条件での処理が行えるものである。
【００１４】
さらに、前記加圧蒸気生成ボイラーから加圧蒸気を発生させることから、加圧蒸気生成ボイラーから複数の蒸気管を分岐しても十分に各フードに加圧蒸気を供給して処理が行えるので、複数のフードを使用する場合のコストが安くなるものである。
【００１５】
また、フードと蒸気管の間にスチームトラップを取付けたことにより、蒸気が凝縮して発生するドレンがフード内に入り込むことがなく、水滴が被施術者の頭部に達して不快な思いをさせることがない等の効果を有するものである。
【００１６】
さらに、加圧蒸気生成ボイラーの水位を常時監視して水位が低下すると自動的にモータポンプを駆動して加圧蒸気生成ボイラー内に水や温水を供給するようにしたので、サロンスタッフが自分で給水する煩わしさから開放されるという効果を有するものである。
【発明を実施するための最良の形態】
【００１７】
本発明は、加圧蒸気を加圧蒸気生成ボイラーにより生成し、この加圧蒸気をフード内に供給して被施術者の頭髪は頭皮を処理するようにした。
【実施例１】
【００１８】
以下、本発明に係る加圧蒸気を用いた頭髪・頭皮処理装置の一実施例を図面と共に説明する。
図１は基本構成を示す概略図であり、１は水道水や理美容院内の湯沸器から開閉弁１ａを介して供給される水や温水をイオン交換樹脂等によって純水にするための純水生成装置にして、水位センサ１ｂが取付けられている。なお、前記開閉弁１ａおよび水位センサ１ｂは後述する制御回路８に接続されている。また、前記温水を純水生成装置１を介して加圧蒸気生成ボイラーに供給することにより、加圧蒸気の生成時間が早くなるというメリットが得られる。
【００１９】
２は前記純水生成装置１からの純水を逆止弁３を介して加圧蒸気生成ボイラー４に供給するためのモータポンプにして制御回路８よりの出力でオン・オフ動作する。
【００２０】
４は前記逆止弁３を介して前記モータポンプ２に接続された加圧蒸気生成ボイラーにして、ボイラー部４ａは下部の蒸気生成部と上部の蒸気貯留部とから構成されていおり、蒸気生成部にはヒーター４ｂが内蔵され、かつ、該蒸気生成部の水量を検出するための水位センサ４ｃが取付けられている。なお、水位センサ４ｃは制御回路８が故障等の不都合が発生しても外部から水量を見ることができるように構成してもよい。
【００２１】
また、ボイラー部４ａにはボイラー部４ａ内の圧力を検出するための圧力センサ４ｄが取付け、また、ボイラー部４ａ内圧が異常に高くなった時に加圧蒸気を排出するための安全弁４ｅが取付けられている。そして、水位センサ４ｃと圧力センサ４ｄは制御回路８に接続されている。なお、前記圧力センサ４ｄに変えて温度センサとしてもよい。
【００２２】
５は一端が前記加圧蒸気生成ボイラー４の蒸気貯留部に接続され加圧蒸気を後述するフード６内に送給するための蒸気管にして、他端はフード６に接続されている。なお、蒸気管５とフード６との距離が長い場合には加圧蒸気が冷却されるのを防止するために蒸気管の外周にヒーターを巻き、かつ、その外周に断熱材を巻くことが望ましい。
【００２３】
６は前記蒸気管５の他端が固定され、該蒸気管５よりの加圧蒸気が供給される公知のフードにして、該フード６の内部において前記蒸気管５の先端に供給される加圧蒸気をフード内全体に蒸気を拡散するための図２（ａ）（ｂ）に示す拡散ノズル５１が取付けられている。また、フード６内にはフード内の温度を検出するための温度センサ６ａが取付けられている。
【００２４】
また、前記蒸気管５の途中にはフード６への加圧蒸気を供給を制御するための制御弁６ｂが取付けられ、また、前記蒸気管５の前記制御弁６ｂとの接続部分には蒸気を通過させることなくドレンのみを排出するスチームトラップ６ｃが接続されている。なお、フード６内に溜まるドレンは排水管７を介して外部に排水される。
【００２５】
９は前記加圧蒸気生成ボイラー４の蒸気生成部、モータポンプ２および純水化装置１よりの残留水をメンテナンス等の水を排出する必要がある場合に使用する排水弁にして、前記フード６からのドレンや排水弁９よりの残留水は排水口から外部に排水される構造となっている。
【００２６】
次に、前記した蒸気拡散ノズル５１の構造を図２と共に説明する。
フード６の所望個所に取付けられている蒸気管５に対して嵌合される小径筒部５１ａと、該小径筒部５１ａと連接された大径筒部５１ｂとからなり、大径筒部５１ｂの先端には多数の小孔５１ｂ1 が形成された遮蔽板５１ｂ2 が形成され、且つ筒部の週面には開口５１ｂ3 が形成されているので、蒸気管５よりの加圧蒸気は拡散されフード６内は所定の温度となる。
【００２７】
なお、拡散ノズル５１は図示した構造に限定されるものではなく、加圧蒸気をフード６内に均一に拡散可能な構造のものであれば、どのような構造のものであってもよい。また、図２（ｂ）において、５１ｃは小径筒部５１ａと大径筒部５１ｂとの境目に取付けられた細かい目の網にして、この網５１ｃによって加圧蒸気が冷却凝縮し水滴となって飛散するのを防止するものである。さらに、５２は蒸気管５の外周を覆う断熱材にして、加圧蒸気の温度低下を防止する役目をする。
【００２８】
次に、図３のシステムブロック図に基づいて動作を説明する。なお、図の符号は前記した説明と同一符号で示している。
図において８は制御回路にして、図中８ａは純水化装置１の水位の設定値や加圧蒸気生成ボイラー４内の水位の設定値、加圧蒸気生成ボイラー４内の圧力の設定値、フード６内の温度の設定値等を記憶するメモリおよび前記設定値と水位センサ１ｂ，４ｃ、圧力センサ４ｄや温度センサ６ａよりの出力とを比較演算し、前記設定値となるように開閉弁１ａ、モータポンプ２、制御弁６ａを制御するＣＰＵである。
【００２９】
先ず、理美容院の開店前においてアシスタント等が図示しない操作パネルの電源をオンにすると、制御回路８は開閉弁１ａを開いて純水化装置１に水や温水を供給して純水を生成する。そして、モータポンプ２を駆動して加圧蒸気生成ボイラー４内に純水を供給しヒーター４ｂに通電して加圧蒸気を生成する。なお、加圧蒸気生成ボイラー４のボイラー４ａは制御弁６ｂが閉じられていることから密閉状態となっているため、大気圧で沸騰させるよりも高温な加圧蒸気となる。
【００３０】
この状態において、圧力センサ４ｄが常時ボイラー４ａ内の圧力（温度）を監視しているので、圧力が低下すると制御回路８はヒーター４ｂに通電して、ボイラー４ａ内の加圧蒸気の圧力（温度）が一定値になるように制御する。
【００３１】
次いで、被施術者が来店してパーマや染髪の毛髪処理を行う場合には、フード６を被せて操作パネルを操作して処理時間を設定すると、制御回路８は制御弁６ｂを開放して加圧蒸気をフード６内に供給する。そして、温度センサ６ａはフード６内の温度を監視しているので、該温度センサ６ａよりのフード６内の温度が予め設定した温度に達すると制御弁６ｂを閉じ、また、温度が低下すると制御弁６ｂを開くという制御を前記設定した時間行うものである。
【００３２】
そして、フード６内で発生したドレンは排水管７を介して排水され、また、蒸気管５内のドレンもスチームトラップ６ｃを介して排水管７から排水される。なお、メンテナンス時には排水弁９を開放することで、純水化装置１およびモータポンプ２内の水も同様にして排水管７から排水される。
【実施例２】
【００３３】
図４は１つの加圧蒸気生成ボイラー４から複数のフード６（図示のものは３個）に加圧蒸気を供給する場合の説明図である。この実施例では一端が加圧蒸気生成ボイラー４に接続された蒸気管５を分岐し、該分岐した蒸気管に制御弁６ｂを介してフード６を接続したものである。
【００３４】
そして、この実施例において、複数のフード６に対して同時に制御弁６ｂを開放して加圧蒸気を供給すると、各フード６に対して十分な加圧蒸気を供給できなくなる場合が発生する。このような状態においては加圧蒸気生成ボイラー４の圧力センサ４ｄの圧力が低下するので、該圧力センサ４ｄの圧力低下を制御回路８で監視し、各フード６への圧力蒸気の供給タイミングをずらして行うことで、各フード６に対して十分な加圧蒸気を供給することが可能となる。
【００３５】
次に、前記した第１の実施例における具体例を図５と共に説明する。なお、図において図１と同一符号は同一部材を示し説明は省略する。
この具体例における加圧蒸気生成装置は、理美容院の壁面に水平方向と垂直方向に回動可能なアーム１０の先端にフードが取付けられているものである。また、壁面の横には本発明に係る加圧蒸気生成装置が設置されている。そして、該装置における加圧蒸気生成ボイラー４よりの蒸気管５は前記アーム１０内に導入されフード６と接続されている。
【００３６】
なお、１１はミラー、１２は椅子にして、前記アーム１０を操作して何れかの椅子に着座している被施術者の頭部にフード６を被せ、フード６に取付けられている操作パネル（図示せず）を操作することで、前記した動作説明の動作によって加圧蒸気による毛髪処理等が行われる。この実施例においては蒸気管５の長さが長いので、このような場合には蒸気管５の外周にヒーターを巻き付け、かつ、ヒーターの上に断熱材を巻き付けて加圧蒸気が冷却されるのを防止する処置を行うことで、前記処理を最適な状態で行うことができる。
【００３７】
次に、前記した第２の実施例における具体例を図６、図７と共に説明する。なお、図において図４と同一符号は同一部材を示し説明は省略する。
この具体例の加圧蒸気生成装置にあっては、１つの蒸気管５から１２０度間隔で３つに分岐し、該分岐した蒸気管５のそれぞれに制御弁６ｂを介してフード６を取付け、各フード６に対応した位置に椅子１２を設置して同時に３人の被施術者の処理ができるようにしたものである。
【００３８】
なお、１３は本発明の加圧蒸気生成装置全体を覆うカバーである。そして、この動作も前記した第２の実施例で説明した動作に伴って各フード６に対して加圧蒸気を制御弁６ｂを外部操作によって行うことで、加圧蒸気生成ボイラー４から加圧蒸気が供給され、各種の処理を行うことができる。
【００３９】
前記した実施例は１２０度間隔でフード６を配置した場合について説明したが、壁面等に少なくとも２つ以上のフード６を直列的に配置したり、その他の配置方法で設置された複数のフード６を１つの加圧蒸気生成装置によって加圧蒸気を供給することも可能である。
【図面の簡単な説明】
【００４０】
【図１】本発明の毛髪・頭皮促進装置の第１実施例を示す構成図である。
【図２】フード内に取付けられる拡散ノズルであり、（ａ）はノズル本体の斜視図、（ｂ）はフードに取付けた状態の断面図である。
【図３】加圧蒸気生成装置を制御するための制御回路のシステムブロック図である。
【図４】第２実施例を示す構成図である。
【図５】第１実施例の具体例を示す正面図である。
【図６】第２実施例の具体例の内部を示した状態の斜視図である。
【図７】同上の使用状態を示す斜視図である。
【符号の説明】
【００４１】
１          純水生成装置
１ａ        開閉弁
１ｂ，４ｃ  水位センサ
２          モータポンプ
４          加圧蒸気生成ボイラー
４ａ        ボイラー部
４ｂ        ヒーター
４ｄ        圧力センサ
５          蒸気管
６          フード
６ａ        温度センサ
６ｂ        制御弁
６ｃ        スチームストラップ
【図１】
2006122381.tif 000003
【図２】
2006122381.tif 000004
【図３】
2006122381.tif 000005
【図４】
2006122381.tif 000006
【図５】
2006122381.tif 000007
【図６】
2006122381.tif 000008
【図７】
2006122381.tif 000009